(57)【特許請求の範囲】
【請求項１】
逆止弁(2)を備えた複数の副ガス容器カット装置(1)がガス調整機構(4)を備えた主ガス容器カット装置(3)とそれぞれ一次側で導結されかつ一体的に連結され、
該ガス調整機構(4)は一次ガス通路(7)上で自己閉止傾向を与えられた開閉弁(8)、この開閉弁(8)に対する調圧用負荷(9)及びガス出口(10)の絞り(11)によりガス圧力及び流量を調整する通常の型式のもので、
該主ガス容器カット装置(3)は該調圧用負荷(9)を不使用時に休止状態に保つ安全装置(12)が設けられており、該安全装置(12)は該主ガス容器カット装置(3)の上面を軸方向に貫通して外部に頸溝(17)を有し内端にバネ(18)の受け(19)のあるロッド(20)と、このロッド(20)の頸溝(17)に該バネ(18)を弾発した状態で自身も弾発係合する挾み(21)と、この挾み(21)を該頸溝(17)から引き抜くための操作紐(22)を有している
ことを特徴とするガス供給装置。
【請求項２】
該副ガス容器カット装置(1)の各々と該主ガス容器カット装置(3)は、その一端が該副ガス容器カット装置(1)にガス流路上で該逆止弁(2)より下流側の流出口(16)に連通し、また他端が該主ガス容器カット装置(3)の一次ガス通路(7)に連通する、ガス通路(5)により導結されている請求項１に記載のガス供給装置。
【請求項３】
該ガス通路(5)は金属細管(5')である請求項２に記載のガス供給装置。
【請求項４】
逆止弁(2)を備えた複数の副ガス容器カット装置(1)がガス調整機構(4)を備えた主ガス容器カット装置(3)とそれぞれ一次側で金属細管(5')により導結されかつ一体的に連結され、
該ガス調整機構(4)は一次ガス通路(7)上で自己閉止傾向を与えられた開閉弁(8)、この開閉弁(8)に対する調圧用負荷(9)及びガス出口(10)の絞り(11)によりガス圧力及び流量を調整する通常の型式のもので、
該主ガス容器カット装置(3)は該調圧用負荷(9)を不使用時に休止状態に保つ安全装置(12)が設けられており、
該主及び副の各ガス容器カット装置(3,1)にガス容器(13)が取付けられ、これらが該安全装置(12)の操作紐(22)と該主ガス容器カット装置(3)のガス出口(10)に導結されたホース(15)を外方へ導く透孔(32,33)を備えた弾性ケース(31)で覆われて成る
ことを特徴とするガス供給器。
【請求項５】
該弾性ケース(31)は発泡樹脂で構成され、本体(34)と蓋(35)を備え、該本体(34)は該ガス容器(13)を密接に収容する室(36)を備え、該蓋(35)は縦に二分割された合わせ型(37,38)で、該合わせ型の合わせ面上に該各ガス容器カット装置(1,3)及びガス調整機構(4)を密接に収容する凹部(39,40)と該ホース(15)用の透孔(33)を備え、かつ該一方の合わせ型(37)に該操作紐(22)用の透孔(32)が設けられている請求項４に記載のガス供給器。
【発明の詳細な説明】
【０００１】
【発明の属する技術分野】
本発明はガス供給装置及びガス供給器にかかり、殊に小型のガス容器を使用しながら比較的長時間にわたって呼吸用の酸素を供給できる型式のものに関する。
【０００２】
【従来の技術】
現在、使用されている防災用呼吸器のタンクは小さなものでも内容積が１０ｌと大型となっている。
【０００３】
【発明が解決しようとする課題】
大型であると、タンクの開閉弁操作、タンクの保持（背負う、抱える）など脱出操作以外に時間がかかり、脱出時期を逃す。また、慌てて落としたり、倒したりしたときに、圧力調整部が壊れて使えなくなることがある。その上、高価でもある。
【０００４】
【課題を解決するための手段】
本発明にかかるガス供給装置は、逆止弁を備えた複数の副ガス容器カット装置がガス調整機構を備えた主ガス容器カット装置とそれぞれ一次側で導結されかつ一体的に連結されている。該ガス調整機構は一次ガス通路上で自己閉止傾向を与えられた開閉弁、この開閉弁に対する調圧用負荷及びガス出口の絞りによりガス圧力及び流量を調整する通常の型式のものである。そして、該主ガス容器カット装置は該調圧用負荷を不使用時に休止状態に保つ安全装置が設けられている。
該安全装置は該主ガス容器カット装置の上面を軸方向に貫通して外部に頸溝を有し内端にバネの受けのあるロッドと、このロッドの頸溝に該バネを弾発した状態で自身も弾発係合する挾みと、この挾みを該頸溝から引き抜くための操作紐を有している。
【０００５】
該副ガス容器カット装置の各々と該主ガス容器カット装置は、その一端が該副ガス容器カット装置にガス流路上で該逆止弁より下流側の流出口に連通し、また他端が該主ガス容器カット装置の一次ガス通路に連通する、ガス通路により導結されていてもよい。
【０００６】
該ガス通路は金属細管となっている。
【０００７】
本発明にかかるガス供給器は、上記のガス供給装置において、該副ガス容器カット装置が該主ガス容器カット装置と金属細管により導結され、該主及び副の各ガス容器カット装置にガス容器が取付けられ、これらが該安全装置の操作紐と該主ガス容器カット装置のガス出口に導結されたホースを外方へ導く透孔を備えた弾性ケースで覆われて成っている。
【０００８】
該弾性ケースは発泡樹脂で構成され、本体と蓋を備え、該本体は該ガス容器を密接に収容する室を備え、該蓋は縦に二分割された合わせ型で、該合わせ型の合わせ面上に該各ガス容器カット装置及びガス調整機構を密接に収容する凹部と該ホース用の透孔を備え、かつ該一方の合わせ型に該操作紐用の透孔が設けられていてもよい。
【０００９】
【発明の実施の形態】
本発明にかかるガス供給装置は、主及び副の各ガス容器カット装置に酸素ガスの入った小型ガス容器を取付けて開封した状態としておく。
【００１０】
坑道の火災やコンピュータ室等の炭酸ガス消火等により酸素濃度が少なく、又は無くなって呼吸ガスの補給を必要とする場合、安全装置を外す。これによりガス調整機構が作動し、調圧用負荷により開閉弁を開くので、主及び副のガス容器カット装置に取付けられたガス容器から開閉弁に到達していた酸素ガスが主ガス容器カット装置の出口の絞りで流量を調整されて外部へ流出し、これをマスクに導けば全ての量のガスが呼吸される。
【００１１】
副ガス容器カット装置の数を増やせばそれだけ使用できるガス容器の数も増えるので、長時間の呼吸が可能となる。
【００１２】
該安全装置は該主ガス容器カット装置の上面を軸方向に貫通して外部に頸溝を有し内端にバネの受けのあるロッドと、このロッドの頸溝に該バネを弾発した状態で自身も弾発係合する挾みと、この挾みを該頸溝から引き抜くための操作紐を有していると、操作紐を引っ張るだけで挾みをロッドの頸溝から外せ、簡単な操作でガス供給装置の供用が可能となる。
【００１３】
該副ガス容器カット装置の各々と該主ガス容器カット装置は、その一端が該副ガス容器カット装置にガス流路上で該逆止弁より下流側の流出口に連通し、また他端が該主ガス容器カット装置の一次ガス通路に連通する、ガス通路により導結されていると、不使用の副ガス容器カット装置があっても、逆止弁によりガスがそこから流出することはない。
【００１４】
該ガス通路は金属細管であると、振動等を受けても金属管が撓んでガス通路が塞がることはないので、ガス供給が確実となる。
【００１５】
請求項４の本発明にかかるガス供給器によれば、該副ガス容器カット装置が該主ガス容器カット装置と金属細管により導結され、該主及び副の各ガス容器カット装置にガス容器を取付けた状態で上記のガス供給装置が弾性ケースに収容されているので、ケースを携帯し、必要になったときに操作紐を引っ張って挾みをロッドの頸溝から外せば直ちに酸素の供給ができ、ケースがあるので落としたりしてもガス調整機構に支障を起こすことがない。
【００１６】
該弾性ケースが発泡樹脂で構成され、本体と蓋を備え、該本体が該ガス容器を密接に収容する室を備え、該蓋は縦に二分割された合わせ型で、該合わせ型の合わせ面上に該各ガス容器カット装置及びガス調整機構を密接に収容する凹部と該ホース用の透孔を備え、かつ該一方の合わせ型に該操作紐用の透孔が設けられていると、ガス供給装置の全体が密接に弾性ケースに収容されるので、かなりの衝撃を受けてもガス供給装置が作動しなくなるようなことがなく、安定して供用できる。
【００１７】
【実施例】
１は副ガス容器カット装置でそれぞれ逆止弁２を備えている。３は主ガス容器カット装置でガス調整機構４を備えている。これらの副ガス容器カット装置１と主ガス容器カット装置３は一次側でガス通路５により導結され、かつフレーム６、取付けねじ６′により一体的に連結されている。
【００１８】
ガス調整機構４は主ガス容器カット装置３内の一次ガス通路７上で自己閉止傾向を与えられた開閉弁８、この開閉弁に対する調圧用負荷９及びガス出口１０の絞り１１によりガス圧力及び流量を調整する通常の型式のものである。主ガス容器カット装置３は調圧用負荷９を不使用時に休止状態に保つ安全装置１２が設けられている。
【００１９】
酸素ガスを充填したガス容器１３を主ガス容器カット装置３と副ガス容器カット装置１に取付ける。この取付けにより各ガス容器１３はカット針１４によりカットされ、一次ガスが流出して主ガス容器カット装置３の開閉弁８の開放を待つ。ガス出口１０にはマスク（図示せず）に通じるホース１５を導結する。
【００２０】
使用するときはマスクを鼻口及び口に当て、安全装置１２を外す。調圧用負荷９が自由となるのでその圧力で開閉弁８を移動させ、ガス通路７が開く。一次側の高圧ガスは、調圧用負荷９により減圧されて二次圧ガスとなり、このガスは主ガス容器カット装置３の出口１０を通り、絞り１１により流量を調整されてホース１５を通り、マスクに流れ込んで呼吸に消費される。
【００２１】
安全装置１２は取外し式なので、一たん釈放すると全てのガス容器１３のガスが流出し終わるまで作動しない。再使用する場合は安全装置１２をセットし直し、ガス容器１３を新品と交換すれば良い。
【００２２】
安全装置１２は主ガス容器カット装置３の上面を軸方向に貫通して外部に頸溝１７を有し、内端にバネ１８の受け１９のあるロッド２０と、このロッドの頸溝１７にバネ１８を弾発した状態で自身も弾発係合する挾み２１と、この挾みを頸溝１７から引き抜くための操作紐２２を有している。こうすると、操作紐２２を引っ張るだけで挾み２１をロッド２０の頸溝１７から外せ、簡単な操作でガス供給装置の供用が可能となる。
【００２３】
副ガス容器カット装置１の各々と主ガス容器カット装置３は、その一端が副ガス容器カット装置１にガス流路５上で逆止弁２より下流側の流出口１６に連通し、また他端が主ガス容器カット装置３の一次ガス通路７に連通する、ガス通路５により導結されている。こうすると、不使用の副ガス容器カット装置１があっても、逆止弁２によりガスがそこから流出することはない。
【００２４】
ガス通路５は金属細管である。こうすると、振動等を受けても金属管が撓んでガス通路５が塞がることはないので、ガス供給が確実となる。
【００２５】
本発明にかかるガス供給器は、図５ないし図７に示したように、上記のガス供給装置の主及び副のガス容器カット装置３と１を金属細管５′で導結し、各カット装置３及び１にガス容器１３を取付け、この装置を弾性ケース３１に収容したものである。この際、安全装置１２の操作紐２２と、ガス出口１０に導結されたホース１５はそれぞれ、弾性ケース３１に開けられている透孔３２や３３を通して外部へ導出される。
【００２６】
この弾性ケース３１を携行し、ガス供給が必要になったら操作紐２２を引っ張って安全装置１２を外す。各ガス容器１３のガスは主ガス容器カット装置３の一次ガス通路７を通って調圧用負荷９により減圧される。そして、低圧となったガスはガス出口１０に流れ、絞り１１により流量を制御されてホース１５に流れ、マスクに到達して呼吸に使われる。
【００２７】
主及び副のガス容器カット装置３及び１が金属細管５′で導結され、これらにガス容器１３が取付けられて弾性ケース３１に覆われているので、落としたり、壁等にぶつけたりしても、衝撃からガス調整機構が保護され、本来の機能を完全に果す。
【００２８】
弾性ケース３１は発泡樹脂で構成され、本体３４と蓋３５を備え、本体３４はガス容器１３を密接に収容する室３６を備え、蓋３５は縦に二分割された合わせ型３７、３８で、これらの合わせ型の合わせ面上に各ガス容器カット装置１、３及びガス調整機構４を密接に収容する凹部３９、４０とホース１５用の透孔３３を備え、かつ一方の合わせ型３７に操作紐２２用の透孔３２が設けられている。こうすると、ガス供給装置の全体が密接に弾性ケース３１に収容されるので、かなりの衝撃を受けてもガス供給装置が作動しなくなるようなことがなく、安定して供用できる。
なお、図面で、４１はガス抜き孔である。
【００２９】
【発明の効果】
本発明のガス供給装置によれば小型ガス容器のカット装置を複数個一体化したので、それに応じた数のガス容器の総ガス量を使用でき、装置が大型にならず、単一の圧力調整装置及び絞りで済むので構造が簡単でコストがかからず、操作も簡単で、安全装置を解放すれば全ガス量を放出でき、従って誤動作によるガス停止等が起こらず、この安全装置は操作紐を引っ張るだけで挾みをロッドの頸溝から外せ、簡単な操作でガス供給装置の供用が可能となる等、種々の特徴がある。
【００３０】
請求項２によれば、不使用の副ガス容器カット装置があっても、逆止弁によりガスがそこから流出することはない。
【００３１】
請求項３によれば、振動等を受けても金属管が撓んでガス通路が塞がることはないので、ガス供給が確実となる。
【００３２】
請求項４のガス供給器によれば、ガス供給装置が弾性ケースで覆われているので、外部からの衝撃に対し保護され、小型のガス容器を複数使用するので大型の容器に比較して形状の自由度がとれ、ケース形状を直立設計することにより携帯に便利な全体形状とすることができる。
【００３３】
請求項５によれば、ガス供給装置の全体が密接に弾性ケースに収容されるので、かなりの衝撃を受けてもガス供給装置が作動しなくなるようなことがなく、安定して供用できる。
【図面の簡単な説明】
【図１】  本発明にかかるガス供給装置の具体例を示す切断側面図である。
【図２】  平面図である。
【図３】  図１の右側面図である。
【図４】  主ガス容器カット装置(3)に対する副ガス容器カット装置(1)のガス通路(5)の導結部分の詳細切断平面図である。
【図５】  本発明にかかるガス供給器の正面図で、弾性ケース(31)の本体(34)をガス容器(13)が同一垂直面上に配置された状態を仮想して切断し、かつ合わせ型(37,38)となっている蓋(35)の手前側(37)を外した状態を示してある。
【図６】  平面図である。
【図７】  図５の右側面図で、弾性ケース(31)を図５の７−７線に沿って切断し、ガス供給装置は切断せずに各ガス容器カット装置(1,3)にガス容器(13)を取付けた状態のままで示してある。
【符号の説明】
１    副ガス容器カット装置
２    逆止弁
３    主ガス容器カット装置
４    ガス調整機構
５    ガス通路
５′  金属細管
６    フレーム
７    一次ガス通路
８    開閉弁
９    調圧用負荷
１０  ガス出口
１１  絞り
１２  安全装置
１３  ガス容器
１４  カット針
１５  ホース
１６  流出口
１７  頸溝
１８  バネ
１９  受け
２０  ロッド
２１  挾み
２２  操作紐
３１  弾性ケース
３２  透孔
３３  透孔
３４  本体
３５  蓋
３６  室
３７  合わせ型
３８  合わせ型
３９  凹部
４０  凹部
【図１】
0003689484.tif 000002
【図２】
0003689484.tif 000003
【図３】
0003689484.tif 000004
【図４】
0003689484.tif 000005
【図５】
0003689484.tif 000006
【図６】
0003689484.tif 000007
【図７】
0003689484.tif 000008